(57)【要約】【課題】本発明は、導光ユニット及びこの導光ユニットを用いたバックライトモジュールを提供する。【解決手段】導光ユニットであって、導光板及び複数の柱状レンズを含む。導光板は、第一表面と、第一表面に相対する第二表面と、第一表面と第二表面を連結する入光面とを有し、更に第二表面に位置する複数の拡散ドットを有する。複数の柱状レンズは、第一表面に配置され、各柱状レンズは第一方向に沿って延伸し、且つ第二方向に湾曲した曲面を有する。この複数の柱状レンズは、第二方向に沿って配列される。複数の拡散ドットの内、隣接する拡散ドットの第一方向におけるピッチは、第二方向におけるピッチより小さい。【選択図】  図２Ａ
2010061128.tif 000002
【特許請求の範囲】
【請求項１】
導光ユニットであって、
導光板と、
複数の柱状レンズと、を含み、
前記導光板は、第一表面と、前記第一表面に相対する第二表面と、前記第一表面と前記第二表面を連結する入光面とを有し、更に前記第二表面に位置する複数の拡散ドットを有し、
前記複数の柱状レンズは、前記第一表面に配置され、各柱状レンズは第一方向に沿って延伸し、且つ第二方向に湾曲した曲面を有し、前記複数の柱状レンズは前記第二方向に沿って配列され、
前記複数の拡散ドットの内、隣接する前記拡散ドットの前記第一方向におけるピッチは前記第二方向におけるピッチより小さいことを特徴とする導光ユニット。
【請求項２】
前記第一方向は実質上前記第二方向に直交することを特徴とする請求項１に記載の導光ユニット。
【請求項３】
前記導光板と前記複数の柱状レンズは一体に成形され、前記第一方向は実質上前記入光面に直交することを特徴とする請求項１に記載の導光ユニット。
【請求項４】
前記複数の柱状レンズは柱状レンズ板を構成し、前記柱状レンズ板と前記導光板はそれぞれ成形されることを特徴とする請求項１に記載の導光ユニット。
【請求項５】
前記複数の拡散ドットの前記第二方向における幅は、前記入光面から遠く離れるにつれて増加することを特徴とする請求項１に記載の導光ユニット。
【請求項６】
前記複数の拡散ドットの数密度は、前記入光面から遠く離れるにつれて増加することを特徴とする請求項１に記載の導光ユニット。
【請求項７】
前記複数の拡散ドットは複数の帯状バターンを構成し、各帯状バターンは前記入光面から遠く離れる方向に沿って延伸し、前記複数の帯状バターンは、前記入光面に平行する方向に沿って配列され、前記各帯状バターンの幅は、前記入光面から遠く離れるにつれて増加することを特徴とする請求項１に記載の導光ユニット。
【請求項８】
前記複数の柱状レンズの複数の曲面は、全て凸面であることを特徴とする請求項１に記載の導光ユニット。
【請求項９】
前記複数の柱状レンズの曲面の内、一部の柱状レンズの曲面は凸面であり、一部の柱状レンズの曲面は凹面であり、前記複数の凸面と凹面は第二方向に交替的に配列されることを特徴とする請求項１に記載の導光ユニット。
【請求項１０】
バックライトモジュールであって、
導光板と複数の柱状レンズを備える導光ユニットと、
発光素子と、を含み、
前記導光板は、第一表面と、前記第一表面に相対する第二表面と、前記第一表面と前記第二表面を連結する入光面を有し、更に前記第二表面に位置する複数の拡散ドットを有し、
前記複数の柱状レンズは、前記第一表面に配置され、各柱状レンズは第一方向に沿って延伸し、且つ第二方向に湾曲した曲面を有し、前記複数の柱状レンズは前記第二方向に沿って配列され、
前記複数の拡散ドットの内、隣接する前記拡散ドットの前記第一方向におけるピッチは前記第二方向におけるピッチより小さく、
前記発光素子は、前記入光面のそばに配置されて光束を発出するに適用され、この光束は前記入光面を経由して前記導光板に入射され、前記第一表面を経由して前記複数の柱状レンズに送られることを特徴とするバックライトモジュール。
【請求項１１】
前記第一方向は実質上前記第二方向に直交することを特徴とする請求項１０に記載のバックライトモジュール。
【請求項１２】
前記導光板と前記複数の柱状レンズは一体に成形され、前記第一方向は実質上前記入光面に直交することを特徴とする請求項１０に記載のバックライトモジュール。
【請求項１３】
前記複数の柱状レンズは柱状レンズ板を構成し、前記柱状レンズ板と前記導光板はそれぞれ成形されることを特徴とする請求項１０に記載のバックライトモジュール。
【請求項１４】
前記複数の拡散ドットの前記第二方向における幅は、前記入光面から遠く離れるにつれて増加することを特徴とする請求項１０に記載のバックライトモジュール。
【請求項１５】
前記複数の拡散ドットの数密度は、前記入光面から遠く離れるにつれて増加することを特徴とする請求項１０に記載のバックライトモジュール。
【請求項１６】
前記複数の拡散ドットは複数の帯状バターンを構成し、各帯状バターンは前記入光面から遠く離れる方向に沿って延伸し、前記複数の帯状バターンは、前記入光面に平行する方向に沿って配列され、前記各帯状バターンの幅は、前記入光面から遠く離れるにつれて増加することを特徴とする請求項１０に記載のバックライトモジュール。
【請求項１７】
前記複数の柱状レンズの複数の曲面は、全て凸面であることを特徴とする請求項１０に記載のバックライトモジュール。
【請求項１８】
前記複数の柱状レンズの曲面の内、一部の柱状レンズの曲面は凸面であり、一部の柱状レンズの曲面は凹面であり、前記複数の凸面と凹面は第二方向に交替的に配列されることを特徴とする請求項１０に記載のバックライトモジュール。
【請求項１９】
更に、前記第二表面側に配置されて、前記光束を前記第一表面に反射する反射ユニットを含むことを特徴とする請求項１０に記載のバックライトモジュール。
【発明の詳細な説明】
【技術分野】
【０００１】
本発明は光源モジュール及びその光学素子に関し、特にバックライトモジュール（ｂａｃｋｌｉｇｈｔ  ｍｏｄｕｌｅ）及びその導光ユニット（ｌｉｇｈｔ  ｇｕｉｄｅ  ｕｎｉｔ）に関する。
【背景技術】
【０００２】
図１は従来のバックライトモジュールの断面図を示している。図１を参照するに、従来のバックライトモジュール１００は、導光板１１０と、冷陰極蛍光ランプ（ｃｏｌｄ  ｃａｔｈｏｄｅ  ｆｌｕｏｒｅｓｃｅｎｔ  ｌａｍｐ，  ＣＣＦＬ）１２０と、反射片１３０と、拡散片（ｄｉｆｆｕｓｉｏｎ  ｐｌａｔｅ）１４０とを含む。導光板１１０は、第一表面１１２と、第一表面１１２に相対して配置された第二表面１１４と、第一表面１１２と第二表面１１４を連結する入光面１１６とを有する。冷陰極蛍光ランプ１２０は入光面１１６のそばに配置され、入光面１１６に光束１２２を発出することに適用される。一部の光束１２２ａは、入光面１１６を経由して導光板１１０の中に入射され、第二表面１１４に設けられた二酸化チタン（ｔｉｔａｎｉｕｍ  ｄｉｏｘｉｄｅ，ＴｉＯ２）ドット（ｄｏｔ）１１４ａの光拡散作用により反射片１３０に送られる。反射片１３０は、一部の光束１２２ａを反射して、順次に第二表面１１４、第一表面１１２及び拡散片１４０を通過させる。一方、一部の光束１２２ｂは導光板１１０に入射された後、二酸化チタンドット１１４ａの光拡散作用により第一表面１１２に送られ、続いて第一表面１１２及び拡散片１４０を順次に通過する。光束１１２（一部の光束１１２ａ及び１１２ｂを含む）は、拡散片１４０を通過した後、面光源を形成する。
【０００３】
二酸化チタンドット１１４ａは、スクリーン印刷（ｓｃｒｅｅｎ  ｐｒｉｎｔｉｎｇ）方式で第二表面１１４に形成される場合、二酸化チタンドット１１４ａの寸法及びその間隔を小さくすることができない。従って、導光板１１０の上方に拡散片１４０を配置しないと、二酸化チタンドット１１４ａによって形成された不連続ライトスポット（ｌｉｇｈｔ  ｓｐｏｔ）が肉眼で識別され、バックライトモジュール１００は均一な面光源を形成できない。
【０００４】
従来は、不連続ライトスポットが肉眼で識別される問題を改善するために、拡散片１４０を採用して不連続ライトスポットがぼやけてしまうようにし、遮蔽効果を得た。しかし、拡散片１４０を使用するにつれて使用する分だけのコストも増加し、光損失（ｌｉｇｈｔ  ｌｏｓｓ）を招く。
【発明の概要】
【発明が解決しようとする課題】
【０００５】
本発明はコストを削減し、光を均一に導くことができる導光ユニットを提供する。
【０００６】
本発明はコストを削減し、均一な面光源を形成できるバックライトモジュールを提供する。
【課題を解決するための手段】
【０００７】
本発明の他の目的と利点は、本発明に開示された技術の特徴により更に知られることができる。
【０００８】
前述した一又は部分又は全部の目的或いは他の目的を達成するために、本発明の実施例による導光ユニットは、導光板及び複数の柱状レンズを含む。導光板は、第一表面と、第一表面に相対する第二表面と、第一表面と第二表面を連結する入光面とを有し、更に第二表面に位置する複数の拡散ドットを有する。複数の柱状レンズは、第一表面に配置され、各柱状レンズは第一方向に沿って延伸し、且つ第二方向に湾曲した曲面を有する。複数の柱状レンズは、第二方向に沿って配列される。複数の拡散ドットの内、隣接する拡散ドットの第一方向におけるピッチは第二方向におけるピッチより小さい。
【０００９】
本発明の実施例において、第一方向は実質上第二方向に直交する。導光板及び複数の柱状レンズは一体に成形され、第一方向は実質上入光面に直交する。本発明の実施例において、複数の柱状レンズは柱状レンズ板を構成し、柱状レンズ板と導光板はそれぞれ成形される。拡散ドットの第二方向における幅は、入光面から遠く離れるにつれて増加する。
【００１０】
本発明の実施例において、拡散ドットの数密度は、入光面から遠く離れるにつれて増加する。複数の拡散ドットは複数の帯状バターンを構成する。各帯状バターンは入光面から遠く離れる方向に沿って延伸し、この複数の帯状バターンは入光面と平行する方向に沿って配列される。各帯状バターンの幅は、入光面から遠く離れるにつれて増加する。この複数の柱状レンズの曲面は、例えば全て凸面である。本発明の実施例において、この複数の柱状レンズの曲面の内、一部の柱状レンズの曲面は凸面であり、一部の柱状レンズの曲面は凹面であり、複数の凸面と凹面は第二方向に交替的に配列される。
【００１１】
本発明の他の実施例のバックライトモジュールを提供し、バックライトモジュールは上述の導光ユニット及び発光素子を含む。発光素子は入光面のそばに配置される。発光素子は光束を発出するに適用され、光束は入光面を経由して導光板に入射され、第一表面を経由してこの複数の柱状レンズに送られる。
【００１２】
本発明の実施例において、バックライトモジュールは更に反射ユニットを含み、反射ユニットは第二表面側に配置され、光束を第一表面に反射する。    
【発明の効果】
【００１３】
本発明の実施例による導光ユニットは、拡散ドットの第一方向におけるピッチが第二方向におけるピッチより小さく、且つ導光ユニットが第一方向に沿って延伸した柱状レンズを有しているため、柱状レンズは、柱状レンズを通過して肉眼で拡散ドットを識別できないように、拡散ドットの第二方向における幅及び間隔を小さくすることができる。これにより、本発明の実施例のバックライトモジュールは、均一な面光源を形成することができる。
【００１４】
本発明の上述の特徴及び効果をより明らかにするために、以下は実施例を挙げ、図面を参照しながら詳細に説明する。
【図面の簡単な説明】
【００１５】
【図１】従来のバックライトモジュールの断面図を示している。
【図２Ａ】本発明の第一実施例によるバックライトモジュールの斜視図を示している。
【図２Ｂ】図２Ａに示すバックライトモジュールのＩ−Ｉ線の断面図を示している。
【図２Ｃ】図２Ａに示す導光ユニットに対して、その第一表面を前に向けた状態の透視図を示している。
【図３】本発明の第二実施例によるバックライトモジュールの斜視図を示している。
【図４】本発明の第三実施例によるバックライトモジュールの導光ユニットに対して、その第一表面を前に向けた状態の透視図を示している。
【図５】本発明の第四実施例によるバックライトモジュールの導光ユニットに対して、その第一表面を前に向けた状態の透視図を示している。
【図６】本発明の第五実施例によるバックライトモジュールの斜視図を示している。
【図７Ａ】本発明の第六実施例によるバックライトモジュールの斜視図を示している。
【図７Ｂ】図７Ａに示す導光ユニットに対して、その第一表面を前に向けた状態の透視図を示している。
【発明を実施するための形態】
【００１６】
以下の各実施例に対する説明は、添付された図面を参照しながら、本発明が実施される特定の実施例を例示するものである。本発明に記載された用語、例えば「上」、「下」、「前」、「後」、「左」、「右」等は単に図面における方向を参照したものに過ぎない。従って、記載された方向用語は本発明を説明するためのものであり、本発明を限定するものではない。
【実施例１】
【００１７】
図２Ａは本発明の第一実施例によるバックライトモジュールの斜視図を示し、図２Ｂは図２Ａに示すバックライトモジュールのＩ−Ｉ線の断面図を示し、図２Ｃは図２Ａに示す導光ユニットに対して、その第一表面を前に向けた状態の透視図を示す。図２Ａ乃至図２Ｃを参照するに、本実施例のバックライトモジュール２００は、導光ユニット３００及び発光素子２１０を含む。導光ユニット３００は、導光板３１０及び複数の柱状レンズ３２０を含む。導光板３１０は、第一表面３１２と、第二表面３１４と、入光面３１６とを有する。第一表面３１２と第二表面３１４は相対され、入光面３１６によって連結される。複数の柱状レンズ３２０は第一表面３１２に配置される。各柱状レンズ３２０は第一方向Ｄ１に沿って延伸し、第二方向Ｄ２に湾曲した曲面Ｃを有する。本実施例において、この複数の柱状レンズ３２０の曲面Ｃは全て凸面であり、例え円柱面、楕円柱面又はその他の形状の凸面が挙げられる。一方、本実施例において、第一方向Ｄ１は実質上第二方向Ｄ２に直交する。また、本実施例において、導光板３１０及びこの複数の柱状レンズ３２０は一体に成形され、第一方向Ｄ１は実質上入光面３１６に直交する。
【００１８】
また、導光板は更に複数の拡散ドット３１８を有し、この複数の拡散ドットは第二表面３１４に配設される。この複数の拡散ドット３１８において、隣接する拡散ドットの第一方向Ｄ１におけるピッチＰ１は第二方向Ｄ２におけるピッチＰ２より小さい。本実施例において、この複数の拡散ドット３１８は、例え二酸化チタンドット又は光拡散に適用されるその他の材質から構成されるドットである。その他の実施例において、拡散ドットは第二表面３１４上の凹点又は凸点であってよい。発光素子２１０は、入光面３１６のそばに配置される。本実施例において、発光素子２１０は、例え冷陰極蛍光ランプである。その他の実施例において、発光素子２１０は、複数の発光ダイオードから構成される発光棒又はその他の適当な発光素子であってもよい。発光素子２１０は光束２１２を発出するに適用され、光束２１２は入光面３１６を経由して導光板３１０に入射し、第一表面３１２を経由して複数の柱状レンズ３２０に送られる。具体的に、導光板３１０に入射された光束２１２の内、一部の光束２１２ａは拡散ドット３１８に送られた後、拡散ドット３１８の拡散作用から光散乱現象が生じる。本実施例において、光束２１２を第一表面３１２に反射するように、例え光散乱現象が生じた一部光束２１２ａを第一表面３１２に反射するように、第二表面３１４側に反射ユニット２２０が配置される。尚、反射ユニット２２０は例え反射片である。一方、光束２１２の内、その他の一部光束２１２ｂは拡散ドット３１８に送られた後、拡散ドット３１８の散乱作用によって第一表面３１２に達する。
【００１９】
本実施例の導光ユニット３００は、柱状レンズ３２０が第二方向Ｄ２に湾曲した曲面Ｃを有し、且つ拡散ドット３１８の第二方向Ｄ２におけるピッチＰ２が第一方向Ｄ１におけるピッチＰ１より大きいため、柱状レンズ３２０は、拡散ドット３１８が光束２１２を散乱することによって生じたライトスポットの第二方向Ｄ２における間隔を肉眼で識別できない程度まで小さくすることができる。一方、ピッチＰ１がピッチＰ２より小さいため、拡散ドット３１８が光束２１２を散乱することによって生じたライトスポットの第一方向Ｄ１における間隔も、肉眼で識別できないようにする。例えば、導光板３１０の厚さＴが約０．５ｍｍ〜約５ｍｍの範囲内にあり、柱状レンズ３２０のピッチＡが約２４μｍ〜約５０μｍの範囲内にあり、曲面Ｃの曲率半径が約１２μｍ〜約２５μｍの範囲内にあるとする。簡単なレンズの結像公式に従って推測すると、柱状レンズ３２０の結像拡大倍率は、約０．００１６〜約０．０３２の範囲内にある。言い換えれば、導光板３１０の上方に配置された柱状レンズ３２０を通過して結像した後、拡散ドット３１８から生じたライトスポットの第二方向Ｄ２における間隔は、およそ元々の三十分の一〜六百分の一しかない。
【００２０】
これにより、導光板３１０に拡散ドット３１８を形成する際に、コストが低く、且つ形成された拡散ドット及びその間隔が大きいスクリーン印刷法が使用可能であり、それにバックライトモジュール２００によって形成された面光源も、使用者に肉眼で離散したライトスポットを見出される問題がない。言い換えれば、本実施例の導光ユニット３００は光束２１２を均一に導くことができ、且つ低いコストを有しているため、本実施例のバックライトモジュール２００は均一な面光源を形成し、低いコストで実現される。また、導光板３１０の上方にプリズム（図示されていない）を配置して面光源を集中しようとする際に、柱状レンズ３２０の作用によって肉眼で拡散ドット３１８を識別できなくなったため、柱状レンズ３２０とプリズムの間に拡散片を配置する必要はない。これによって、バックライトモジュール２００のコストが更に削減され、光損失が減少される。
【００２１】
なお、本発明は、スクリーン印刷法で拡散ドット３１８を形成することに限られない。その他の実施例において、拡散ドット３１８は、リソグラフィー及びエッチング（ｌｉｔｈｏｇｒａｐｈｙ  ａｎｄ  ｅｔｃｈｉｎｇ）製造工程又はその他のエッチング方式で形成される。
【００２２】
本実施例において、これらの拡散ドット３１８の第二方向Ｄ２における幅Ｗ２は、入光面３１６から遠く離れるにつれて増加される。一方、本実施例において、これらの拡散ドット３１８の第一方向Ｄ１における幅Ｗ１は、同じように維持される。これにより、導光板３１０は、バックライトモジュール２００が均一な面光源を提供するように、入光面３１６から遠く離れたところまで光束２１２を転送することができる。
【実施例２】
【００２３】
図３は本発明の第二実施例によるバックライトモジュールの斜視図を示している。図３を参照するに、本実施例のバックライトモジュール２００ａは上述のバックライトモジュール２００（図２Ａを参照）に類似し、両者は以下の点で相違する。本実施例のバックライトモジュール２００ａの導光ユニット３００ａにおいて、複数の柱状レンズの曲面の内、一部柱状レンズ３２０ａの曲面Ｃ１は凸面であり、一部柱状レンズ３２０ａ’の曲面Ｃ１’は凹面であり、複数の曲面Ｃ１と曲面Ｃ１’は第二方向Ｄ２に交替的に配列される。本実施例において、複数の曲面Ｃ１と曲面Ｃ１’は、一次元的な正弦曲面を構成する。しかし、その他の実施例において、曲面Ｃ１は円柱面、楕円柱面又はその他の形状の凸面であってもいいし、曲面Ｃ１’も円柱状凹面、楕円柱状凹面又はその他の形状の凹面であってもいい。導光ユニット３００ａは上述の導光ユニット３００（図２Ａを参照）に類似した利点及び効果を有しているため、ここで説明を省略する。
【実施例３】
【００２４】
図４は本発明の第三実施例によるバックライトモジュールの導光ユニットに対して、その第一表面を前に向けた状態の透視図を示している。図４を参照するに、本実施例のバックライトモジュールの導光ユニット３００ｂは上述の導光ユニット３００（図２Ｃを参照）に類似し、両者は以下の点で相違する。本実施例の導光ユニット３００ｂにおいて、拡散ドット３１８の数密度は入光面３１６から遠く離れるにつれて増加する。これにより、導光ユニット３００ｂは、バックライトモジュールが均一な面光源を提供するように、入光面３１６から遠く離れたところから光束を引き出すことができる。一方、本実施例において、この複数の拡散ドット３１８の第一方向Ｄ１における幅Ｗ１’は実質上同様であり、この複数の拡散ドット３１８の第二方向Ｄ２における幅Ｗ２’も実質上同様である。
【実施例４】
【００２５】
図５は本発明の第四実施例によるバックライトモジュールの導光ユニットに対して、その第一表面を前に向けた状態の透視図を示している。図５を参照するに、本実施例のバックライトモジュールの導光ユニット３００ｃは上述の導光ユニット３００（図２Ｃを参照）に類似し、両者は以下の点で相違する。本実施例の導光ユニット３００ｃにおいて、複数の拡散ドット３１８は複数の帯状バターン３１９を構成する。各帯状バターン３１９は入光面３１６から離れる方向に延伸し、複数の帯状バターン３１９は入光面３１６と平行した方向に沿って配列される。また、各帯状バターン３１９の幅Ｗ３は、入光面３１６から遠く離れるにつれて増加する。これにより、導光板３１０は、バックライトモジュールが均一な面光源を提供するように、入光面３１６から遠く離れたところまで光束を転送することができる。
【実施例５】
【００２６】
図６は本発明の第五実施例によるバックライトモジュールの斜視図を示している。図６を参照するに、本実施例のバックライトモジュール２００ｄは上述のバックライトモジュール２００（図２Ａを参照）に類似し、両者は以下の点で相違する。本実施例のバックライトモジュール２００において、複数の柱状レンズ３２０は柱状レンズ板３３０を構成し、柱状レンズ板３３０と導光板３１０はそれぞれ成形される。
【実施例６】
【００２７】
図７Ａは本発明の第六実施例によるバックライトモジュールの斜視図を示し、図７Ｂは図７Ａに示す導光ユニットに対して、その第一表面を前に向けた状態の透視図を示している。図７Ａ及び図７Ｂを参照するに、本実施例のバックライトモジュール２００ｅは上述のバックライトモジュール２００ｄに類似し、両者は以下の点で相違する。本実施例のバックライトモジュール２００ｅにおいて、第一方向Ｄ１’（即ち、各柱状レンズ３２０の延伸した方向）は実質上入光面３１６に平行し、第二方向Ｄ２’（即ち、複数の柱状レンズ３２０の配列方向）は実質上入光面３１６に直交する。また、拡散ドット３１８の分布も第一方向Ｄ１’と第二方向Ｄ２’が第五実施例から変更されるにつれて変更される。具体的に、本実施例において、複数の拡散ドットの内、隣接する拡散ドット３１８の第一方向Ｄ１’におけるピッチＰ１’は第二方向Ｄ２’におけるピッチＰ２’より小さい。一方、本実施例において、この複数の拡散ドット３１８の第二方向Ｄ２’における幅Ｗ２”は、入光面３１６から遠く離れるにつれて増加する。
【００２８】
なお、その他の実施例においても、第一方向と第二方向は実質上入光面に平行及び垂直であることができ、拡散ドットの数密度も入光面から遠く離れるにつれて増加する。若しくは、第一方向と第二方向は実質上入光面に平行及び垂直であり、拡散ドットは第四実施例のような複数の帯状バターンを構成することができる。
【００２９】
以上のように、本発明の実施例の導光ユニットは、柱状レンズが第二方向に湾曲した曲面を有し、且つ拡散ドットの第二方向におけるピッチが第一方向におけるピッチより大きいため、柱状レンズは、拡散ドットが光束を散乱することによって生じたライトスポットの第二方向Ｄ２における間隔を肉眼で識別できない程度まで小さくすることができる。これにより、導光板に拡散ドットを形成する際に、コストが低いスクリーン印刷法が使用可能であり、バックライトモジュールから提供される面光源も、使用者に肉眼で離散したライトスポットを見出される問題がない。言い換えれば、本発明の実施例による導光ユニットは、光束を均一に導くことができ、且つ低いコストであるため、本発明の実施例のバックライトモジュールは、均一な面光源を形成し、低いコストで実現される。
【００３０】
また、導光板の上方にプリズムを配置して面光源を集中しようとする場合、柱状レンズの作用によって拡散ドットから生じたライトスポットを肉眼で識別できなくなったため、柱状レンズとプリズムの間に拡散片を配置する必要がない。これによって、バックライトモジュールのコストが更に削減される。
【００３１】
以上は、本発明の実施例を記載しているが、本発明は上記の実施例に限られず、前記技術分野で通常の知識を有する者によって、本発明の精神と範囲内で変更、変換することができ、本発明の保護範囲は添付する特許請求の範囲を基準とする。一方、本発明の何れの実施例又は請求項範囲は、本発明により開示された全ての目的又は利点又は特徴を実現するべきではない。また、要約部分と発明の名称はただ特許文献のサーチ作業を補助するためのものであり、本発明の権利範囲を制限するものではない。
【符号の説明】
【００３２】
１００、２００、２００ａ、２００ｄ、２００ｅ    バックライトモジュール
１１０、３１０    導光板
１１２、３１２    第一表面
１１４、３１４    第二表面
１１４ａ    二酸化チタンドット
１１６、３１６    入光面
１２０    冷陰極蛍光ランプ
１２２、２１２    光束
１２２ａ、１２２ｂ、２１２ａ、２１２ｂ    一部光束
１３０    反射片
１４０    拡散片
２１０    発光素子
２２０    反射ユニット
３００、３００ａ、３００ｂ、３００ｃ    導光ユニット
３１８    拡散ドット
３１９    帯状バターン
３２０、３２０ａ、３２０ａ’    柱状レンズ
３３０    柱状レンズ板
Ａ、Ｐ１、Ｐ１’、Ｐ２、Ｐ２’    ピッチ
Ｃ、Ｃ１、Ｃ１’    曲面
Ｄ１、Ｄ１’    第一方向
Ｄ２、Ｄ２’    第二方向
Ｔ    厚さ
Ｗ１、Ｗ１’、Ｗ２、Ｗ２’、Ｗ２”、Ｗ３    幅
【図１】
2010061128.tif 000003
【図２Ａ】
2010061128.tif 000004
【図２Ｂ】
2010061128.tif 000005
【図２Ｃ】
2010061128.tif 000006
【図３】
2010061128.tif 000007
【図４】
2010061128.tif 000008
【図５】
2010061128.tif 000009
【図６】
2010061128.tif 000010
【図７Ａ】
2010061128.tif 000011
【図７Ｂ】
2010061128.tif 000012